(57)【特許請求の範囲】
【請求項１】
被格納物を載置する基枠と、この基枠に対向して設けられる二本のレールと、これらレール上に載置され基枠上方を開放自在に覆い内部に格納室を形成する伸縮自在のテントユニットと、前記テントユニットの移動を行うテント移動装置とを具えたスライド式開閉テントにおいて、前記レールは基枠に対し固定された本体固定レールと、この本体固定レールと切り離し自在に連結されレールの延長方向にスライド自在な端部スライドレールとから成り、前記テント移動装置は、左右に対向した基枠の後端側と前端側とにそれぞれ設けた駆動輪及び従動輪と、これらに巻回されるとともにテントユニットの駆動フレームに接続される左右二本の牽引帯と、基枠の端部に設けられる一基のテント駆動モータと、このテント駆動モータの回転を前記左右二つの駆動輪へ伝達する回転伝達手段とを具えて成り、前記テントユニットを完全開放するにあたっては、まず左右の牽引帯をテント駆動モータを駆動することにより駆動し、テントユニットの駆動フレームを完全収縮してテントユニットを一次開放し、次にこの一次開放の状態からスライドレールをテントユニットの固定端部フレームを伴って張り出し方向の移動を開始するとともに、その際、停止されている牽引帯に連結されている駆動フレームは、一次開放時の位置に留まらせ、端部スライドレールが完全張り出し状態となった後、左右の牽引帯を再度駆動することにより駆動フレームが張り出し側に収縮移動して完全開放されることを特徴とするテントユニットの完全開放構造を有するスライド式開閉テント。
【請求項２】
前記端部スライドレールを、レールの延長方向へスライド自在とするとともに本体固定レールと切り離し自在とするにあたっては、端部スライドレールを支持するスライド支持フレームと、本体固定レールを支持する固定支持フレームとが互いに嵌挿構造をとることにより行うことを特徴とする請求項１記載のテントユニットの完全開放構造を有するスライド式開閉テント。
【請求項３】
前記牽引帯はチェーンであり、前記駆動輪及び従動輪はスプロケットであることを特徴とする請求項１または２記載のテントユニットの完全開放構造を有するスライド式開閉テント。
【請求項４】
前記端部スライドレールの長さは、前記テントユニットの完全収縮時の幅寸法に端部スライドレールのスライド長さを加えた長さに、端部スライドレールの張り出し時にテントユニットが落下しないための余裕寸法を加えた長さであることを特徴とする請求項１、２、または３記載のテントユニットの完全開放構造を有するスライド式開閉テント。
【請求項５】
前記テント駆動モータの回転を前記左右二つの駆動輪へ伝達する回転伝達手段の一つであるテント駆動軸は、基枠の後端から後方へ突出して横方向に架設されていることを特徴とする請求項１、２、３または４記載のテントユニットの完全開放構造を有するスライド式開閉テント。
【発明の詳細な説明】
【０００１】
【発明の属する技術分野】
本発明は蛇腹式に伸縮し得るスライド式開閉テントに関するものであって、特にテントユニットを収縮したときに基枠上方を完全に開放できるようにしたスライド式開閉テントに係るものである。
【０００２】
【発明の背景】
この種のスライド式開閉テントは地上における倉庫等の構造物として用いられたり、更にはトラックやトレーラ等の車両の荷台の覆いとして用いられたりしており、近時普及をみている。
このうち例えば車両の荷台の覆いとして用いる場合には、被格納物たる荷物の積み下ろしがより容易に行われるようにテントユニットが伸縮して荷台上を開放自在にする構成が多くとられている。そして更にこの使い勝手を追求したものとして例えば実開昭６２−１２４０３３号、特開平８−２５９７５号に見られるようにテントユニットを収縮したときに基枠上方を完全に開放できるような案出もされている。
【０００３】
しかしながら実際上この種の完全開放タイプのスライド式開閉テントを設計するとなると、通常の格納室の開閉のためのテントユニットの伸縮動作や完全開放時の退去動作並びにそれらのシフト機構等については種々の工夫が求められてくる。例えば実開昭６２−１２４０３３号にあっては、図８（ａ）に示されるように張り出した補助レール６１及びその上のテントユニットをヒンジ６２等により支持するものであるため強度の面において不安がある。また実開昭６２−１２４０３３号の他の実施例では図８（ｂ）に示されるように補助レール６１自体が本体固定レール６３に対し入れ子状に嵌挿して出没自在にしたものが記載されるが、これにあっては補助レール６１と本体固定レール６３の連結部位に段差が生じる。このためスムーズなテントユニットの走行を妨げ、脱線の原因となる危惧もあり、実際上は採用し難いし、駆動機構の配設にも格別の工夫がいると予想される。また特開平８−２５９７５号にあっては、図９（ａ）（ｂ）に示すようにレールＲ′全体をスライドする構造をとるため、上述した実開昭６２−１２４０３３号のような問題点は生じないが、レールＲ′全体を移動するのに充分に耐え得る装置強度性が要求され、製造コスト等の面で大きなデメリットが生じる。
また一般にテントユニットのシフト機構やそれに関連する制御器、補機類等はできるだけ固定設置され、このものが可動状態とならないように設計することは種々の故障等を避けメンテナンスを図る上で望ましい。
【０００４】
【開発を試みた技術的課題】
本発明はこのような背景を考慮してなされたもので、制御機構や駆動機構を確実に配設して、作動の安定化を図ることができ、且つ製造コストも比較的低く抑えることのできる新規なテントユニットの完全開放構造を有するスライド式開閉テントの開発を試みたものである。
【０００５】
【課題を解決するための手段】
すなわち請求項１記載のテントユニットの完全開放構造を有するスライド式開閉テントは、被格納物を載置する基枠と、この基枠に対向して設けられる二本のレールと、これらレール上に載置され基枠上方を開放自在に覆い内部に格納室を形成する伸縮自在のテントユニットと、前記テントユニットの移動を行うテント移動装置とを具えたスライド式開閉テントにおいて、
前記レールは基枠に対し固定された本体固定レールと、この本体固定レールと切り離し自在に連結されレールの延長方向にスライド自在な端部スライドレールとから成り、
前記テント移動装置は、左右に対向した基枠の後端側と前端側とにそれぞれ設けた駆動輪及び従動輪と、これらに巻回されるとともにテントユニットの駆動フレームに接続される左右二本の牽引帯と、基枠の端部に設けられる一基のテント駆動モータと、このテント駆動モータの回転を前記左右二つの駆動輪へ伝達する回転伝達手段とを具えて成り、
前記テントユニットを完全開放するにあたっては、まず左右の牽引帯をテント駆動モータを駆動することにより駆動し、テントユニットの駆動フレームを完全収縮してテントユニットを一次開放し、次にこの一次開放の状態からスライドレールをテントユニットの固定端部フレームを伴って張り出し方向の移動を開始するとともに、その際、停止されている牽引帯に連結されている駆動フレームは、一次開放時の位置に留まらせ、端部スライドレールが完全張り出し状態となった後、左右の牽引帯を再度駆動することにより駆動フレームが張り出し側に収縮移動して完全開放されることを特徴として成るものである。
この発明によれば、テントユニットが基枠の外側へ退避して格納スペースを完全開放するため、格納スペースを最大限に使用できる。端部スライドレールは完全開放時のみ使用する補助的なものではなく、通常の使用時においてもレールの一部を担っている。従ってレールに無駄がないとともに、例えば入れ子状に嵌挿することにより張り出し自在とするものではないため、レールのサイズが異なることにより連結部位に段差が生じるようなことがない。このためスムーズなテントユニットの走行が妨げられたり、脱線の原因となる危惧もない。またレール全体を移動するような構成をとらないため、製造コストの面で比較的安価に実施することが可能である。また完全開放されていないときには全体的にコンパクトとなるため、狭い場所への運搬が容易で、載置スペースも比較的狭小で済ますことができる。
またこの発明によれば、牽引帯を用いてテントユニットを駆動するため、構造が簡便であり、スムーズな開閉が行えるとともに、比較的安価な実施が行い得る。またレール上の任意の位置にテントユニットを留めておくためのブレーキ機構等を必要としない。また一次開放と完全開放の両方が選択できるため、完全開放が必要ないときには、一次開放の状態で使用できる。
【０００６】
また請求項２記載のテントユニットの完全開放構造を有するスライド式開閉テントは、前記要件に加え、前記端部スライドレールを、レールの延長方向へスライド自在とするとともに、本体固定レールと切り離し自在とするにあたっては、端部スライドレールを支持するスライド支持フレームと、本体固定レールを支持する固定支持フレームとが互いに嵌挿構造をとることにより行うことを特徴として成るものである。
この発明によれば、端部スライドレールを本体固定レール内へ嵌挿するのではなく、それらを支持するスライド支持フレームと固定支持フレームとをいずれか一方へ嵌挿するものであるため、端部スライドレールまたは本体固定レールが中空とならず強度性に富むとともに、端部スライドレールと本体固定レールとの連結個所にサイズの異なることにより連結部位に段差が生じるようなことがない。またヒンジ等による連結ではないため、張り出し時の端部スライドレールは強度性に富む。
【０００７】
更に請求項３記載のテントユニットの完全開放構造を有するスライド式開閉テントは、前記請求項１または２記載の要件に加え、前記牽引帯はチェーンであり、前記駆動輪及び従動輪はスプロケットであることを特徴として成るものである。
この発明によれば、牽引帯と、駆動輪及び従動輪との間にスリップ等が生じず、テントユニットを確実に任意の個所に停止することができる。
【０００８】
更に請求項４記載のテントユニットの完全開放構造を有するスライド式開閉テントは、前記請求項１、２または３記載の要件に加え、前記端部スライドレールの長さは、前記テントユニットの完全収縮時の幅寸法に端部スライドレールのスライド長さを加えた長さに、端部スライドレールの張り出し時にテントユニットが落下しないための余裕寸法を加えた長さであることを特徴として成るものである。
この発明によれば、端部スライドレールの張り出し駆動を終了してからテントユニットを収縮移動することができるとともに、その端部スライドレールの寸法が長すぎるような無駄がなく、また余裕寸法を有しているため端部スライドレールの張り出し移動時等において、レールの切り欠き部にテントユニットが落下してしまうようなことがない。
【０００９】
更に請求項５記載のテントユニットの完全開放構造を有するスライド式開閉テントは、前記請求項１、２、３または４記載の要件に加え、前記テント駆動モータの回転を前記左右二つの駆動輪へ伝達する回転伝達手段の一つであるテント駆動軸は、基枠の後端から後方へ突出して横方向に架設されていることを特徴として成るものである。
この発明によれば、テントユニットを後方へ移動することを確実に行える。
【００１０】
【発明の実施の形態】
以下本発明のテントユニットの完全開放構造を有するスライド式開閉テントを図示の実施の形態に基づき説明する。図中符号１に示すものが本発明に係るスライド式開閉テントであり、このものは例えば適宜の場所に載置されるとともに移動の際には、このまま車両等に搭載して使用される。スライド式開閉テント１は被格納物を載置する基枠２と、この基枠２の左右に対向して設けられるレールＲと、このレールＲ上を伸縮しながら走行するテントユニット１０と、このテントユニット１０の駆動を行うテント移動装置３０と、前記レールＲの一部である本発明の特徴たる端部スライドレール４の駆動を行うレールスライド装置４０と、前記テント移動装置３０及びレールスライド装置４０の制御を行う制御盤５とを主要部材として成る。以下各部材について説明する。
【００１１】
基枠２について説明する。基枠２は一例としてＨ型鋼等を用い矩形状に枠組みされたもので、この基枠２に被格納物を載置するための適宜の底板２Ａが敷設される。もちろんスライド式開閉テント１を移動せず定着物として使用するなどの使用態様によってはこの底板２Ａを設けず、そのまま地面を使用する形態で実施することも可能である。
【００１２】
次にテントユニット１０について説明する。テントユニット１０は上記基枠２の左右に並行して敷設されるレールＲ上を伸縮しながら走行するものであり、伸縮自在なテントフレームの上面、側面、背面をテント幕１１で覆い、前面にはシャッタ装置２０を設けて成る。なお上記レールＲの具体的な構造は本発明の特徴的な部位であるためまとめて後述する。
【００１３】
テントフレームについて説明する。このものは一例として本出願人がすでに特開平９−６０３４９号にて出願に及んでいるテント幕１１の天部の垂れ下がりの防止構造を採ることができる。具体的にはそれぞれ門状に形成された前端の駆動フレーム１２と、スライド支持フレーム４Ａもしくは端部スライドレール４の後端に固定される固定端部フレーム１３と、これら固定端部フレーム１３及び駆動フレーム１２との間に設けられる中間可動フレーム１４と、これらをパンタグラフ状に連結する中継リンクロッド１５とから成る。駆動フレーム１２及び中間可動フレーム１４の下端にはレールＲ上を走行するための車輪１２ａ、１４ａが設けられている。このうち中間可動フレーム１４は、下側の柱フレーム１４Ａとこれを入れ子状に嵌挿する昇降フレーム１４Ｂとから成る。この構成によりテントユニット１０は、収縮時に図４（ａ）（ｂ）に示すように昇降フレーム１４Ｂが中継リンクロッド１５により押し上げられることにより、天井部が高くなり、伸張時には天井部が低くなる。従って収縮時等に垂れ下がったテント幕１１が被格納物に接触するのが防がれるとともに、トラック等の荷台に搭載した際には風の抵抗が大幅に抑えられる。なおテントユニット１０としては、もちろん上述したようなテント幕１１の垂れ下がり防止構造を採らないものを適用しても構わない。
【００１４】
テントユニット１０の端部に設けられるシャッタ装置２０について説明する。シャッタ装置２０は、例えば図５に示すようにシート状のシャッタ本体２１を巻取ドラム２２に対し巻取自在に取り付けるものであり、これらは一例として駆動フレーム１２の上方に設けたシャッタボックス２３内に収納されている。またシャッタ本体２１を引き出したとき（下方に垂下させたとき）に、これを案内するシャッタガイド２４を駆動フレーム１２の両サイドの柱部分内側に設ける。そしてこの巻取ドラム２２は駆動源を駆動モータとする駆動装置２５によって、シャッタ本体２１の巻取方向と繰り出し方向とに回転方向を切り替えて駆動を行う。なおシャッタ本体２１には適宜金属パイプ等を用いた補強桟２６を一定間隔ごとに水平に設けるものであり、このものは前記シャッタガイド２４に両端において嵌まり、円滑な巻き取り及び繰り出しがされるように構成されている。またシャッタ本体２１はシート状でなくともよく、スラットタイプのものなどでもよいし、手動式に巻き取るものでもよい。
【００１５】
テント移動装置３０について説明する。図２に示すように基枠２の左右前端には従動輪たる従動スプロケット３１が回転自在に設けられ、図２、３に示すように基枠２の左右後端面に張り出して駆動輪たる駆動スプロケット３２が回転自在に設けられる。これら従動スプロケット３１と駆動スプロケット３２との間に牽引帯たる牽引チェーン３３が巻回されている。牽引チェーン３３は、図４（ａ）に示すようにテントユニット１０の一番先頭に位置する駆動フレーム１２の下部に接続されている。なおこの牽引チェーン３３におけるテントユニット１０との直接接続する個所の部材を牽引子３３ａとするものである。また図２、３に示されるように基枠２の後端面に張り出して回転伝達手段たるテント駆動軸３４が、軸受３５によって回転自在に架設される。このテント駆動軸３４には、図３（ａ）における左寄りに中継スプロケット３４ｂが設けられ、両端には端部スプロケット３４ａが設けれる。基枠２の後端左寄りには正逆回転可能なテント駆動モータＭ１が設けられ、このテント駆動モータＭ１の出力軸に設けられるモータスプロケット３６と前記中継スプロケット３４ｂとの間に駆動チェーン３７が巻回されている。またこのテント駆動軸３４の端部スプロケット３４ａ上方には張設スプロケット３８が回転自在に設けられる。前記駆動スプロケット３２、端部スプロケット３４ａ及び張設スプロケット３８とに牽引チェーン３３の後端側がかけられている。以上のような構成によりテント駆動モータＭ１が駆動されることによりテント駆動軸３４が回転し、牽引チェーン３３が駆動され、この牽引チェーン３３に接続されたテントユニット１０がレールＲ上を前後に伸縮しながら移動する。
【００１６】
以上までの基枠２やテントユニット１０等の具体的な構造は、基本的には従来公知の構造であるものの、前述したように基枠２の後端に駆動スプロケット３２を設けた点は、後述する駆動・使用の方法において特徴的であり重要となる。なおテント移動装置３０はスプロケットとチェーンを用いたもののほか、ワイヤーロープとプーリ、タイミングベルトとプーリ、ネジシャフトと摺動雌ねじブロックのような移動装置でもよいが、いずれにせよ駆動フレーム１２の下端に接続される牽引子を有したテント移動装置３０としては、基枠２の前端と後端との間を駆動フレーム１２を牽引して移動させ得るものであればよい。
【００１７】
次に本発明の特徴的な部位であるレールＲについて説明する。レールＲは図３（ｂ）に示すように断面Ｉ状を成し、基枠２に対し固定状態に設けられる本体固定レール３と、後端側の基枠２に対し前後にスライド自在に設けられ、且つ前記本体固定レール３と連接及び切り離しが自在な端部スライドレール４とから成る。
具体的には本体固定レール３は、固定支持フレーム３Ａに対し固定され、この固定支持フレーム３Ａが基枠２に対して固定されている。また端部スライドレール４は、基枠２に対しスライド自在に設けられるスライド支持フレーム４Ａに固定されている。スライド支持フレーム４Ａは、図２、６、７に示すように前端に可動輪４ａを有し、前記固定支持フレーム３Ａの後端部に嵌挿されている。また基枠２の後端に図３（ｂ）（ｃ）に示すように支承ローラ４６が回転自在に設けられており、これにスライド支持フレーム４Ａはスライド自在に支承されている。スライド支持フレーム４Ａ及び固定支持フレーム３Ａの張り出し方向端部は、図２に示されるようにレール接続フレーム６によって連結されている。なお前記端部スライドレール４の長さは、前記テントユニットの完全収縮時の収縮限界寸法に端部スライドレール４のスライド長さを加えた長さに、更に端部スライドレール４の張り出し時にテントユニット１０が落下しないための余裕寸法を加えた長さである
【００１８】
次に上記端部スライドレール４を駆動するレールスライド装置４０について説明する。図３に示すように前記スライド支持フレーム４Ａの下面にはラック４１が張設されている。一方基枠２の後部には正逆回転可能なレール駆動モータＭ２が設けられ、基枠２の後端面に張り出してレール駆動軸４２が軸受４３によって回転自在に架設される。レール駆動軸４２の両端にはピニオン４２ａが設けられており、前記スライド支持フレーム４Ａの下面のラック４１と噛み合わされている。レール駆動軸４２には図３（ａ）における中央やや右寄りの位置には中継スプロケット４２ｂが設けられ、この中継スプロケット４２ｂと前記レール駆動モータＭ２の出力軸に設けられたモータスプロケット４４との間に駆動チェーン４５が張設されている。
以上の構成により、レール駆動モータＭ２が回転することにより、レール駆動軸４２が駆動され、ピニオン４２ａに噛み合うラック４１が横移動されることによりスライド支持フレーム４Ａ及びこれに固定された端部スライドレール４がスライド移動する。
【００１９】
また一例として基枠２の後部近くには上記レールスライド装置４０及びテント移動装置３０の制御を行う制御盤５が設けられている。この制御盤５から出力装置たるレール駆動モータＭ２及びテント駆動モータＭ１に接続されている。また図示は省略するが、入力装置たるリミットスイッチが基枠２の複数個所に設けられており、テントユニット１０の完全閉鎖と全開放の位置を検出するとともに、端部スライドレール４の拡張位置と非拡張位置とが検出される。これらリミットスイッチも前記制御盤５に接続される。
【００２０】
本発明に係るスライド式開閉テント１の構成は以上のようで、次にこのスライド式開閉テント１の使用態様について説明するとともに、制御的な構成の詳細を併せて説明する。
（１）一次開放（テントユニットの収縮）
図６（ａ）に示すようなテントユニット１０の閉鎖時から開放するにあたっては、制御盤５上もしくは制御盤５から離れたリモートコントロールスイッチ等によりテント駆動モータＭ１を駆動し、テントユニット１０を収縮して後方側へ退去させる。テントユニット１０は図６（ｂ）に示すように端部スライドレール４にすべてが載り移り、その後ろ半分位に収まり完全に収縮した状態となる。テントユニット１０の完全開放を必要としない場合にはこの状態で被格納物の積み下ろしを行う。
【００２１】
（２）レールスライド
次に被格納物の積み下ろしを行うにあたり、一次開放の状態に収縮させただけでは不充分且つ邪魔で、基枠２上方を完全開放する場合について説明する。完全開放を行うため再度スイッチ操作をする。これによりレール駆動モータＭ２が駆動して図６（ｃ）に示すように端部スライドレール４が後方へスライドする。このとき牽引チェーン３３は停止しているため牽引チェーン３３に接続されたテントユニット１０の駆動フレーム１２はその位置で停止しているが、一方固定端部フレーム１３は端部スライドレール４により後方へ引っ張られる。すなわち一次開放では駆動フレーム１２を引っ張って開放したが、このステップでは端部スライドレール４を後方へ張り出した結果、今度は固定端部フレーム１３を引っ張ってテントユニット１０が若干展開したのと等しくなる。結果として図６（ｃ）に示すように端部スライドレール４が後方へ張り出したときには、テントユニット１０は若干伸張された状態となっている。このとき本体固定レール３と端部スライドレール４との間には、レールＲの切り欠き部分が生じるが、端部スライドレール４の長さを前述のとおりとすることで、テントユニット１０は端部スライドレール４上に載ったままで伸張されることとなる。
【００２２】
（３）完全開放
完全開放にあたっては上記伸張されたテントユニット１０を牽引チェーン３３をテントユニット１０の完全開放側に走行させ、これに伴い駆動フレーム１２を図６（ｄ）に示すように固定端部フレーム１３に引き寄せるようにする。この結果テントユニット１０は再度収縮して前記端部スライドレール４における前記基枠２の後方へ張り出した端部スライドレール４上へすべてのテントユニット１０を退去し、基枠２の上方を完全開放する。なお牽引チェーン３３の動きについて説明すると、一次開放のときは牽引子３３ａは基枠２の後端からほぼテントユニット１０の縮み代分前方に位置して停止するが、完全開放の際には、その位置からほぼ最終後端まで移動する。牽引子３３ａはテントユニット１０の駆動フレーム１２に取り付けられているので、その後方が基枠２の外後方の端部スライドレール４上に収縮支承されることとなる。
【００２３】
なお上述した完全開放時のテントユニット１０と端部スライドレール４の駆動についての制御態様の一例について詳述する。まず一次開放時にはテントユニット１０が完全収縮した状態で、例えばスライド支持フレームに設けた完全収縮検出用のリミットスイッチが駆動フレーム１２に当接されることにより完全収縮状態を検出し、テント駆動モータＭ１の駆動を停止する。またレールスライド時及び完全開放時には、端部スライドレール４が基枠２の後方へ張り出した時に、例えば端部スライドレール４の完全拡張検出用のリミットスイッチがこの張り出した状態を検出し、レール駆動モータＭ２の駆動を停止するとともに、テント駆動モータＭ１の駆動を開始する。そしてテントユニット１０が完全収縮した状態で、この状態を前記完全収縮検出用のリミットスイッチが検出し、テント駆動モータＭ１の駆動を停止する。
【００２４】
なお上述した実施の形態では、テントユニット１０がレールＲ上を走行する際の安定性等に優れるため、完全開放時に端部スライドレール４が基枠２の後方へ完全に張り出したのを待ってからテント駆動モータＭ１の駆動を開始し、テントユニット１０の後方への完全収縮動作を行うようにしたが、レール駆動モータＭ２の駆動を開始した後、すぐにテント駆動モータＭ１の駆動を開始し、図６（ｃ）の端部スライドレール４の拡張スライドと、図６（ｄ）のテントユニット１０の完全収縮移動とをほぼ同時に行うように改変して実施しても構わない。この場合には、端部スライドレール４のスライド速度よりもテントユニット１０の駆動フレーム１２のスライド速度を上回らないよう注意する。なおこの場合、この完全収縮時の端部スライドレール４のスライド速度では、一次開放時の速度が遅くなるような不都合が生じる場合には、テント駆動モータＭ１として可変速モータを適用するなどして、テントユニット１０の一次開放時の速度は高速で、完全開放時の速度は低速で行われるようにしてもよい。なお以上端部スライドレール４のスライドとテントユニット１０の駆動フレーム１２のスライドをほぼ同時に行う手法は、もちろん次項に説明するテントユニット１０の伸張時にも適用することが可能である。
【００２５】
（４）閉鎖（テントユニットの伸張）
次に上記完全開放したテントユニット１０を閉鎖する場合について説明する。基本的には上記開放動作と逆の操作を行うものである。すなわちまず完全に収縮したテントユニット１０を図７（ｂ）に示すように端部スライドレール４の先端付近にまで伸張する。次に端部スライドレール４をスライドして図７（ｃ）に示すように本体固定レール３の後端に連結して一次開放状態とする。
次に再度リモートコントロールスイッチ等を操作することにより、図７（ｄ）に示すようにテントユニット１０を伸張し、駆動フレーム１２を基枠２前端まで移動して基枠２上面を完全閉鎖する。なおこのように基枠２の後方へテントユニット１０が張り出していない状態では、全体的にコンパクトであり狭い範囲により多数のスライド式開閉テント１を収納することができ便利である。
【００２６】
【他の実施の形態】
本発明の基本的な実施の形態は以上のようであるが、その他種々の改変が行い得る。
基本的な実施の形態としてレールスライド装置４０は、ラック４１とピニオン４２ａを用いてスライドする構造をとったが、その他ボールネジ機構やシリンダ等の種々の公知のスライド機構に適宜変更して実施することも可能である。
【００２７】
またテントユニット１０は基本的な実施の形態では片開きであったが、例えば中央等から両開きで実施するように構成しても構わない。このような形態をとる場合には、基枠２の両端側に端部スライドレール４を設け、完全開放時には基枠２の両端に張り出した端部スライドレール４上に二つに分割されたテントユニット１０をそれぞれ支承させることが好ましい。
【００２８】
【発明の効果】
請求項１記載のテントユニットの完全開放構造を有するスライド式開閉テントによれば、レールＲは基枠２に対し固定された本体固定レール３と、この本体固定レール３と切り離し自在に連結されレールＲの延長方向にスライド自在な端部スライドレール４とから成るため、テントユニット１０が基枠２の外側へ退避して格納スペースを完全開放し、格納スペースを最大限に使用できる。また端部スライドレール４は完全開放時のみ使用する補助的なものではなく、通常の使用時においてもレールＲの一部として使用される。従ってレールＲに無駄が生じないとともに、例えば入れ子状に嵌挿することにより張り出し自在とするものではないため、レールＲのサイズが異なることにより連結部位に段差が生じるようなことがない。このためテントユニット１０のスムーズな走行が妨げられたり、脱線の原因となる危惧もない。またレールＲ全体を移動するような構成をとらないため、製造コストの面で比較的安価に実施することが可能である。また完全開放されていないときには全体的にコンパクトとなるため、狭い場所への運搬が容易で、載置スペースも比較的狭小で済ますことができる。
またこの発明によれば、牽引チェーン３３等の牽引帯を用いてテントユニット１０を駆動するため、簡便であり、スムーズな開閉が行えるとともに、比較的安価な実施が行い得る。またレールＲ上の任意の位置にテントユニット１０を留めておくためのブレーキ機構等を必要としない。また一次開放と完全開放の両方が選択できるため、完全開放が必要ないときには、一次開放の状態で使用できる。
【００２９】
請求項２記載のテントユニットの完全開放構造を有するスライド式開閉テントによれば、端部スライドレール４を本体固定レール３内へ嵌挿するのではなく、それらを支持するスライド支持フレーム４Ａと固定支持フレーム３Ａとをいずれか一方へ嵌挿するものであるため、端部スライドレール４または本体固定レール３が中空とならず強度性に富むとともに、端部スライドレール４と本体固定レール３との連結個所にサイズの異なることにより連結部位に段差が生じるようなことがない。またヒンジ等による連結ではないため、張り出し時の端部スライドレール４は強度性に富む。
【００３０】
更に請求項３記載のテントユニットの完全開放構造を有するスライド式開閉テントは、特に牽引帯がチェーンであり、駆動輪及び従動輪がスプロケットであるため、牽引帯と、駆動輪及び従動輪との間にスリップ等が生じず、テントユニット１０を確実に任意の個所に停止することができる。
【００３１】
請求項４記載のテントユニットの完全開放構造を有するスライド式開閉テントによれば、端部スライドレール４の長さは、テントユニット１０の完全収縮時の幅寸法に端部スライドレール４のスライド長さを加えた長さに、端部スライドレール４の張り出し時にテントユニット１０が落下しないための余裕寸法を加えた長さであるため、端部スライドレール４の張り出し駆動を終了してからテントユニット１０を収縮移動することができるとともに、その端部スライドレール４の寸法が長すぎるような無駄がない。また余裕寸法を有しているため端部スライドレール４の張り出し移動時等において、レールＲの切り欠き部にテントユニット１０が落下してしまうようなことがない。
【００３２】
請求項５記載のテントユニットの完全開放構造を有するスライド式開閉テントによれば、テント駆動軸３４は、基枠２の後端から後方へ突出して横方向に架設されているため、テントユニット１０を後方へ移動することを確実に行える。
【図面の簡単な説明】
【図１】  本発明のテントユニットの完全開放構造を有するスライド式開閉テントの実施の形態の完全閉鎖状態を示す斜視図並びに完全開放状態を示す斜視図である。
【図２】  端部スライドレールを収縮した状態と基枠端部へ張り出した状態とを示すレールの二種の平面図である。
【図３】  基枠後端のテント移動装置及びレール移動装置を、完全開放状態において基枠の背面側から見て示す斜視図、並びに背面図及び側面図である。
【図４】  テントフレームの伸縮状態を示す二種の側面図である。
【図５】  シャッタ装置を一部断面で示す正面図である。
【図６】  テントユニットの完全開放を行う様子を段階的に示す説明図である。
【図７】  テントユニットの完全閉鎖を行う様子を段階的に示す説明図である。
【図８】  従来の二種のテントユニットの完全開放構造を示す平面図及び側面図である。
【図９】  従来のテントユニットの完全開放構造を示す説明図である。
【符号の説明】
１      スライド式開閉テント
２      基枠
２Ａ    底板
３      本体固定レール
３Ａ    固定支持フレーム
４      端部スライドレール
４Ａ    スライド支持フレーム
４ａ    可動輪
５      制御盤
６      レール接続フレーム
１０    テントユニット
１１    テント幕
１２    駆動フレーム
１２ａ  車輪
１３    固定端部フレーム
１４    中間可動フレーム
１４ａ  車輪
１４Ａ  柱フレーム
１４Ｂ  昇降フレーム
１５    中継リンクロッド
２０    シャッタ装置
２１    シャッタ本体
２２    巻取ドラム
２３    シャッタボックス
２４    シャッタガイド
２５    駆動装置
２６    補強桟
３０    テント移動装置
３１    従動スプロケット
３２    駆動スプロケット
３３    牽引チェーン
３３ａ  牽引子
３４    テント駆動軸
３４ａ  端部スプロケット
３４ｂ  中継スプロケット
３５    軸受
３６    モータスプロケット
３７    駆動チェーン
３８    張設スプロケット
４０    レールスライド装置
４１    ラック
４２    レール駆動軸
４２ａ  ピニオン
４２ｂ  中継スプロケット
４３    軸受
４４    モータスプロケット
４５    駆動チェーン
４６    支承ローラ
６１    補助レール
６２    ヒンジ
６３    本体固定レール
Ｍ１    テント駆動モータ
Ｍ２    レール駆動モータ
Ｒ      レール
【図１】
0003940968.tif 000002
【図２】
0003940968.tif 000003
【図３】
0003940968.tif 000004
【図４】
0003940968.tif 000005
【図５】
0003940968.tif 000006
【図６】
0003940968.tif 000007
【図７】
0003940968.tif 000008
【図８】
0003940968.tif 000009
【図９】
0003940968.tif 000010